【手続補正書】
【提出日】平成24年1月24日(2012.1.24)
【手続補正１】
【補正対象書類名】特許請求の範囲
【補正対象項目名】全文
【補正方法】変更
【補正の内容】
【特許請求の範囲】
【請求項１】
板状のガラス基板をエッチングすることにより所望の形状に切り抜かれてなる、携帯端末の表示画面を保護するカバーガラスであって、前記カバーガラスの端面は、溶解ガラス面で構成されてなり、前記カバーガラスには、一対の主表面を貫通する穴部が設けられ、前記穴部の内壁面は、エッチングによる溶解ガラス面で構成されていることを特徴とする携帯端末用カバーガラス。
【請求項２】
板状のガラス基板をエッチングすることにより所望の形状に切り抜かれてなる、携帯端末の表示画面を保護するカバーガラスであって、前記カバーガラスの端面は、溶解ガラス面で構成されてなり、前記カバーガラスの外周端部には、側面視で主表面の面方向の内側へ窪む凹部が設けられ、前記凹部の内壁面は、エッチングによる溶解ガラス面で構成されていることを特徴とする携帯端末用カバーガラス。
【請求項３】
前記端面の表面粗さは、算術平均粗さＲａが１０ｎｍ以下であることを特徴とする請求項１又は請求項２に記載の携帯端末用カバーガラス。
【請求項４】
前記カバーガラスの主表面は、ダウンドロー法により成形された熔解ガラス面で構成されてなり、且つ、前記主表面の表面粗さは、算術平均粗さＲａが０．５ｎｍ以下であることを特徴とする請求項１から請求項３のいずれかに記載の携帯端末用カバーガラス。
【請求項５】
前記カバーガラスの板厚は、０．５ｍｍ以下であることを特徴とする請求項１から請求項４のいずれかに記載の携帯端末用カバーガラス。
【請求項６】
前記カバーガラスは、ＳｉＯ２、Ａｌ２Ｏ３、Ｌｉ２Ｏ及びＮａ２Ｏからなる群から選ばれた少なくとも一つを含有したアルミノシリケートガラスであることを特徴とする請求項１から請求項５のいずれかに記載の携帯端末用カバーガラス。
【請求項７】
前記アルミノシリケートガラスは、６２重量％〜７５重量％のＳｉＯ２、５重量％〜１５重量％のＡｌ２Ｏ３、４重量％〜１０重量％のＬｉ２Ｏ、４重量％〜１２重量％のＮａ２Ｏ、及び５．５重量％〜１５重量％のＺｒＯ２を含有することを特徴とする請求項６記載の携帯端末用カバーガラス。
【請求項８】
前記カバーガラスは、イオン交換処理により化学強化されたガラスであることを特徴とする請求項１から請求項７のいずれかに記載の携帯端末用カバーガラス。
【請求項９】
前記カバーガラスは、前記主表面及び前記端面に圧縮応力層を有することを特徴とする請求項８に記載の携帯端末用カバーガラス。
【請求項１０】
前記カバーガラスの端面は、中央部が突出し、当該中央部から両主表面側に向かって傾斜した傾斜面を有することを特徴とする請求項１から請求項９のいずれかに記載の携帯端末用カバーガラス。
【請求項１１】
携帯端末の表示画面を保護する携帯端末用カバーガラスの製造方法であって、板状のガラス基板の主表面にレジストパターンを形成した後、前記レジストパターンをマスクとして、フッ酸と、硫酸、硝酸、塩酸、ケイフッ酸のうち少なくとも１種の酸とを含む混酸水溶液のエッチャントで前記ガラス基板をエッチングすることにより、所望の形状に切り抜くとともに、その切り抜かれてなるカバーガラスに一対の主表面を貫通する穴部を形成することを特徴とする携帯端末用カバーガラスの製造方法。
【請求項１２】
携帯端末の表示画面を保護する携帯端末用カバーガラスの製造方法であって、板状のガラス基板の主表面にレジストパターンを形成した後、前記レジストパターンをマスクとして、フッ酸と、硫酸、硝酸、塩酸、ケイフッ酸のうち少なくとも１種の酸とを含む混酸水溶液のエッチャントで前記ガラス基板をエッチングすることにより、所望の形状に切り抜くとともに、その切り抜かれてなるカバーガラスの外周端部に側面視で主表面の面方向の内側へ窪む凹部を形成することを特徴とする携帯端末用カバーガラスの製造方法。
【請求項１３】
前記板状のガラス基板は、ダウンドロー法により成形したものであることを特徴とする請求項１１又は請求項１２に記載の携帯端末用カバーガラスの製造方法。
【請求項１４】
前記カバーガラスは、ＳｉＯ２、Ａｌ２Ｏ３、Ｌｉ２Ｏ及びＮａ２Ｏからなる群から選ばれた少なくとも一つを含有したアルミノシリケートガラスであることを特徴とする請求項１１から請求項１３のいずれかに記載の携帯端末用カバーガラスの製造方法。
【請求項１５】
前記所望の形状に切り抜いた後、切り抜いたガラス基板をイオン交換処理により化学強化することを特徴とする請求項１４記載の携帯端末用カバーガラスの製造方法。
【請求項１６】
表示画面を有する装置本体と、前記表示画面上に設けられ、請求項１から請求項１０のいずれかに記載の携帯端末用カバーガラスと、を具備することを特徴とする携帯端末装置。
【手続補正２】
【補正対象書類名】明細書
【補正対象項目名】０００８
【補正方法】変更
【補正の内容】
【０００８】
本発明の携帯端末用カバーガラスは、板状のガラス基板をエッチングすることにより所望の形状に切り抜かれてなる、携帯端末の表示画面を保護するカバーガラスであって、前記カバーガラスの端面は、溶解ガラス面で構成されてなり、前記カバーガラスには、一対の主表面を貫通する穴部が設けられ、前記穴部の内壁面は、エッチングによる溶解ガラス面で構成されていることを特徴とする。また、本発明の携帯端末用カバーガラスは、板状のガラス基板をエッチングすることにより所望の形状に切り抜かれてなる、携帯端末の表示画面を保護するカバーガラスであって、前記カバーガラスの端面は、溶解ガラス面で構成されてなり、前記カバーガラスの外周端部には、側面視で主表面の面方向の内側へ窪む凹部が設けられ、前記凹部の内壁面は、エッチングによる溶解ガラス面で構成されていることを特徴とする。本発明の携帯端末用カバーガラスにおいては、前記端面の表面粗さは、算術平均粗さＲａが１０ｎｍ以下であることが好ましい。
【手続補正３】
【補正対象書類名】明細書
【補正対象項目名】００１１
【補正方法】削除
【補正の内容】
【手続補正４】
【補正対象書類名】明細書
【補正対象項目名】００１７
【補正方法】変更
【補正の内容】
【００１７】
本発明の携帯端末用カバーガラスの製造方法は、携帯端末の表示画面を保護する携帯端末用カバーガラスの製造方法であって、板状のガラス基板の主表面にレジストパターンを形成した後、前記レジストパターンをマスクとして、フッ酸と、硫酸、硝酸、塩酸、ケイフッ酸のうち少なくとも１種の酸とを含む混酸水溶液のエッチャントで前記ガラス基板をエッチングすることにより、所望の形状に切り抜くとともに、その切り抜かれてなるカバーガラスに一対の主表面を貫通する穴部を形成することを特徴とする。また、本発明の携帯端末用カバーガラスの製造方法は、携帯端末の表示画面を保護する携帯端末用カバーガラスの製造方法であって、板状のガラス基板の主表面にレジストパターンを形成した後、前記レジストパターンをマスクとして、フッ酸と、硫酸、硝酸、塩酸、ケイフッ酸のうち少なくとも１種の酸とを含む混酸水溶液のエッチャントで前記ガラス基板をエッチングすることにより、所望の形状に切り抜くとともに、その切り抜かれてなるカバーガラスの外周端部に側面視で主表面の面方向の内側へ窪む凹部を形成することを特徴とする。
【手続補正５】
【補正対象書類名】明細書
【補正対象項目名】００２０
【補正方法】削除
【補正の内容】